(57)【特許請求の範囲】
【請求項１】
再生器、凝縮器、蒸発器、吸収器などを配管接続して冷媒と吸収液の循環サイクルを形成すると共に、蒸発器の内部に通水して第１の冷水所定温度ｔ１を目標に冷却した冷水を冷却負荷に循環供給する冷水供給経路と、再生器から冷媒蒸気が流入し、熱交換して凝縮した冷媒液が再生器に還流する容器内に通水して第１の温水所定温度Ｔ１を目標に加熱した温水を加熱負荷に循環供給する温水供給経路とを供え、冷水／温水同時供給運転時に、冷却のために、前記容器に通水する水の温度（以下、還流温水温度）Ｔに基づいて、冷水主、温水従（以下、冷主運転）、若しくは温水主、冷水従（以下、暖主運転）の何れかの制御が選択されて、前記再生器に供給する熱量を制御する吸収冷温水機において、
還流冷水温度ｔが第１の冷水所定温度ｔ１より僅かに高い第２の冷水所定温度ｔ２より低く、還流温水温度Ｔが第１の温水所定温度Ｔ１より僅かに低い第２の温水所定温度Ｔ２より高い、冷却／加熱負荷共に小さい低負荷状態に、少なくとも還流冷水温度ｔが第２の冷水所定温度ｔ２より高いか、還流温水温度Ｔが第２の温水所定温度Ｔ２より低い高負荷状態から移行するときに、冷主運転から移行するときには冷主運転を継続させて燃焼器の燃焼量を制御し、暖主運転から移行するときには暖主運転を継続させて燃焼器の燃焼量を制御することを特徴とする運転制御方法。
【発明の詳細な説明】
【０００１】
【発明の属する技術分野】
この発明は、冷房や暖房が同時に行えるように、冷水と温水が同時に供給できる吸収冷温水機の制御に関するものである。
【０００２】
【従来の技術】
冷／温水同時供給型の吸収冷温水機においては、一般に冷水供給を主、温水供給を従として制御する冷主運転と、逆に温水供給を主、冷水供給を従として制御する暖主運転とは、例えば図４に示したように、冷媒の主に蒸発熱で冷却するために還流してきた冷水の温度、すなわち還流冷水温度ｔと、冷媒の主に凝縮熱で加熱するために還流してきた温水の温度、すなわち還流温水温度Ｔに基づいて、その領域をはっきりと区分するようにしていた。
【０００３】
【発明が解決しようとする課題】
しかし、上記従来の冷／温水同時供給型の吸収冷温水機においては、冷却負荷（例えば、冷房負荷）と、加熱負荷（例えば、暖房負荷）が共に小さい低負荷状態、すなわち、例えば７．０℃を目標に冷却した冷水が循環供給される冷却負荷からは７．０℃より僅かに高い、例えば７．３℃以下の冷水が還流し、例えば５５．０℃を目標に加熱した温水が循環供給される加熱負荷からは５５．０より僅かに低い、例えば５４．７℃以上の温水が還流しているような負荷状態では、高温再生器に設けたガスバーナなどの燃焼器の燃焼をオン／オフして入熱制御することになるので、冷水と温水を所定の目標温度に制御することが困難となる。特に、冷主運転と暖主運転の切換を、冷却／加熱作用を終えて吸収冷温水機に還流してくる冷水と温水の温度のみに基づいて行うため、ある条件下では冷主運転と暖主運転とが頻繁に切換わり、冷水温度と温水温度の安定制御が一層困難になると云った問題点があり、この点の解決が課題とされていた。
【０００４】
【課題を解決するための手段】
本発明は上記従来技術の課題を解決するための具体的手段として、再生器・凝縮器・蒸発器・吸収器などを配管接続して冷媒と吸収液の循環サイクルを形成すると共に、蒸発器の内部に通水して第１の冷水所定温度ｔ１を目標に冷却した冷水を冷却負荷に循環供給する冷水供給経路と、再生器から冷媒蒸気が流入し、熱交換して凝縮した冷媒液が再生器に還流する容器内に通水して第１の温水所定温度Ｔ１を目標に加熱した温水を加熱負荷に循環供給する温水供給経路とを備え、冷水／温水同時供給運転時に、冷却のために前記蒸発器に通水する水の温度（以下、還流冷水温度）ｔまたは加熱のために前記容器に通水する水の温度（以下、還流温水温度）Ｔに基づいて、冷水主、温水従（以下、冷主運転）、若しくは温水主、冷水従（以下、暖主運転）の何れかの制御が選択されて、前記再生器に供給する熱量を制御する吸収冷温水機において、
【０００５】
還流冷水温度ｔが第１の冷水所定温度より僅かに高い第２の冷水所定温度ｔ２より低く、還流温水温度Ｔが第１の温水所定温度Ｔ１より僅かに低い第２の温水所定温度Ｔ２より高い、冷却／加熱負荷共に小さい低負荷状態に、少なくとも還流冷水温度ｔが第２の冷水所定温度ｔ２より高いか、還流温水温度Ｔが第２の温水所定温度Ｔ２より低い高負荷状態から移行するときに、冷主運転から移行するときには冷主運転を継続させて燃焼器の燃焼量を制御し、暖主運転から移行するときには暖主運転を継続させて燃焼器の燃焼量を制御することを特徴とする運転制御方法、
を提供することにより、前記した従来技術の課題を解決するものである。
【０００６】
【発明の実施の形態】
以下、本発明の実施形態を図面に基づいて詳細に説明する。
【０００７】
図１に例示したものは冷／温水を冷却負荷、加熱負荷それぞれに循環供給することができる冷温水機としての二重効用吸収式冷凍機であり、冷媒に水を、吸収液に臭化リチウム（ＬｉＢｒ）水溶液を使用したものである。
【０００８】
図において、１は加熱手段としてのガスバーナ１Ｂを備えた高温再生器、２は低温再生器、３は凝縮器、４は蒸発器、５は吸収器、６は低温熱交換器、７は高温熱交換器、８は温水器、９〜１１は吸収液配管、１３は吸収液ポンプ、１４〜１９は冷媒配管、２０は冷媒ポンプ、２２は図示しない冷房などの冷却負荷に冷水を循環供給するための、途中に蒸発器熱交換器４Ａを備えた冷水配管、２３は途中に吸収器熱交換器５Ａおよび凝縮器熱交換器３Ａを備えた冷却水配管、２４は図示しない暖房などの加熱負荷に温水を循環供給するための、途中に温水器熱交換器８Ａを備えた温水配管、２５〜２８は開閉弁、２９と３０は流量制御弁であり、これらの機器はそれぞれ図１に示したように配管接続されており、この構成自体は従来周知である。
【０００９】
すなわち、上記構成の吸収冷温水機においては、開閉弁２５・２６・２７を閉じると共に、冷却水配管２３への冷却水の供給を停止してガスバーナ１Ｂを点火すると、高温再生器１では溶液が加熱され、この加熱溶液から蒸発分離した冷媒蒸気が冷媒配管１８を介して温水器８に入り、ここで温水器熱交換器８Ａを流れる水と熱交換して凝縮し、冷媒配管１９を通って高温再生器１に戻る循環が行われるので、温水器熱交換器８Ａを流れて冷媒蒸気と熱交換し、温度上昇した水、すなわち温水を図示しない加熱負荷に循環供給することで暖房運転などが行える。
【００１０】
一方、開閉弁２５・２６・２７を開き、開閉弁２８を閉じると共に温水配管２４による温水循環を停止した状態で冷却水配管２３に冷却水を通し、ガスバーナ１Ｂを点火して高温再生器１で溶液を加熱すると、高温再生器１で溶液から蒸発分離した冷媒蒸気は冷媒配管１４に流れ、低温再生器２で中間吸収液を加熱濃縮して凝縮器３に入り、低温再生器２で冷媒蒸気により加熱されて中間吸収液から蒸発分離した冷媒蒸気は凝縮器３へ入り、冷却水配管２３から凝縮器熱交換器３Ａへ流れた冷却水と熱交換して凝縮液化した後、冷媒配管１４からの凝縮冷媒と一緒になって冷媒配管１５を介して蒸発器４へ入る。
【００１１】
蒸発器４では、冷媒ポンプ２０によって蒸発器熱交換器４Ａの上に散布された冷媒液が冷水配管２２からの水と熱交換して蒸発し、このときの気化熱によって蒸発器熱交換器４Ａ内を流れる水が冷却される。そして、蒸発器４で蒸発した冷媒蒸気は吸収器５に入り、上方から散布される吸収液に吸収される。
【００１２】
冷媒を吸収して濃度の薄くなった吸収器５の吸収液は、吸収液ポンプ１３の運転により低温熱交換器６・高温熱交換器７を経て高温再生器１へ送られる。高温再生器１に入った吸収液は、ガスバーナ１Ｂにより加熱されて冷媒が蒸発し、中濃度の吸収液となって高温熱交換器７を介し低温再生器２に入る。そして、ここで吸収液は高温再生器１から冷媒配管１４を流れて来た冷媒蒸気によって加熱され、さらに冷媒が蒸発分離されて濃度が高くなる。高濃度になった吸収液は低温熱交換器６を経て吸収器５へ入り、上方から散布される。
【００１３】
上記のように吸収冷温水機の運転が行われると、蒸発器４において蒸発器熱交換器４Ａの管壁を介して冷媒の気化熱によって冷却された水が、冷水配管２２を介して図示しない冷却負荷に循環供給できるので、冷房運転などが行える。
【００１４】
また、開閉弁２５・２６・２７を開く一方で開閉弁２８を閉じ、温水配管２４による温水循環を行いながら冷却水配管２３に冷却水を通してガスバーナ１Ｂを点火し、高温再生器１で溶液を加熱すると、高温再生器１で溶液から蒸発分離した冷媒蒸気は冷媒配管１４と１８を介して低温再生器２と温水器８に同時に供給されるので、冷水配管２２から冷水を循環供給して行う冷房運転などと、温水配管２４から温水を循環供給して行う暖房運転などが同時に行える。
【００１５】
３１は、上記のような動作が可能な吸収冷温水機に設けた制御装置であり、その具体的な一構成例について説明すると、３２は、冷水配管２２の蒸発器４出口部に設けられて、冷却作用を終えて蒸発器４に流入する冷水の温度、すなわち還流冷水温度ｔを検出する温度センサ４０と、温水配管２４の温水器８入口部に設けられて、加熱作用を終えて温水器８に流入する温水の温度、すなわち還流温水温度Ｔを検出する温度センサ４１が出力する温度信号を入力し、信号変換して中央演算処理装置（以下、ＣＰＵと云う）３３へ出力する入力インターフェイス、３４は所定の演算式や制御プログラムなどを記憶している記憶装置（以下、ＲＯＭと云う）、３５はＣＰＵ３３からの信号を入力してガスバーナ１Ｂなどへ所要の制御信号を出力する出力インターフェイス、３６は所定時間毎に信号を出力する信号発生器（以下、ＣＬＯＣＫと云う）、３７は温度センサ４０・４１が出力した温度信号などを記憶する読込／消去可能な記憶装置（以下、ＲＡＭと云う）である。
【００１６】
例えば、ＲＯＭ３４には、ＣＬＯＣＫ３６が出力する信号に基づいて所定時間毎に、温度センサ４０による還流冷水温度ｔと、温度センサ４１による還流温水温度Ｔとを検出し、この検出した還流冷水温度ｔ・還流温水温度Ｔに基づいて冷主運転を行うか、暖主運転を行うかを判定して指示する図２の制御選択指示基準や、所要の制御プログラムを記憶させてある。
【００１７】
すなわち、ＣＰＵ３３は、ＲＯＭ３４に記憶してある制御プログラムに基づいて動作し、還流冷水温度ｔと還流温水温度Ｔとが領域Ａにあるときには、無条件で冷主運転を選択し、還流冷水温度ｔと還流温水温度Ｔとが領域Ｂにあるときも、無条件で暖主運転を選択し、還流冷水温度ｔと還流温水温度Ｔとが領域Ｃにあるときには、ＲＡＭ３７に記憶してある還流冷水温度ｔ・還流温水温度Ｔに基づいて、領域Ａ・Ｂの何れから領域Ｃに移行したのかを確認し、領域Ａから移行したときには冷主運転の継続を選択し、領域Ｂから移行したときには暖主運転の継続を選択して、ガスバーナ１Ｂに所要の制御信号を出力してオン／オフ制御したり、その燃焼量を制御する。
【００１８】
上記機能を有する制御装置３１を備えた吸収冷温水機においては、冷水と温水を同時に供給していて冷／暖房の負荷が急減したような場合にも、冷主運転の状態から低負荷運転に移行したときには冷主運転を継続し、暖主運転の状態から低負荷運転に移行したときには暖主運転が継続されるので、ガスバーナ１Ｂの燃焼をオン／オフすることで生じる、冷水と温水の温度がハンチングすることによる冷主運転／暖主運転の頻繁な切換がなくなり、これにより安定した温度の冷／温水同時供給運転が可能になった。
【００１９】
なお、本発明は上記実施例に限定されるものではないので、特許請求の範囲に記載の趣旨から逸脱しない範囲でさらに各種の変形実施が可能である。
【００２０】
例えば、ＲＯＭ３４には、図２の制御選択指示基準に代えて、図３のような制御選択指示基準を記憶させておいても良い。
【００２１】
この場合も、還流冷水温度ｔと還流温水温度Ｔとが領域Ａにあるときには、冷主運転を選択し、還流冷水温度ｔと還流温水温度Ｔとが領域Ｂにあるときには、暖主運転を選択し、還流冷水温度ｔと還流温水温度Ｔとが領域Ｃにあるときには、領域Ａから領域Ｃに入ったときには冷主運転を継続し、領域Ｂから領域Ｃに入ったときには暖主運転を継続する制御プログラムを記憶させておく。
【００２２】
また、還流冷水温度ｔと還流温水温度Ｔとが、領域Ａ・Ｂの何れにあるのかをＲＡＭ３７に所定時間毎に記憶しておき、還流冷水温度ｔと還流温水温度Ｔとが領域Ｃに移行したときに、領域Ａ・Ｂの何れから移行したのかをＲＡＭ３７の記憶内容から直接判定できるように構成することもできる。
【００２３】
【発明の効果】
以上説明したように本発明の運転制御方法によれば、冷水と温水を同時に供給していて冷／暖房の負荷が急減したような場合にも、冷主運転の状態から低負荷運転に移行したときには冷主運転を継続し、暖主運転の状態から低負荷運転に移行したときには暖主運転が継続されるので、ガスバーナなどの加熱手段の燃焼をオン／オフすることで生じる、冷水と温水の温度がハンチングすることによる冷主運転／暖主運転の頻繁な切換がなくなり、これにより安定した温度の冷／温水同時運転が可能となった。
【図面の簡単な説明】
【図１】装置構成を示す説明図である。
【図２】制御の一例を示す説明図である。
【図３】他の制御例を示す説明図である。
【図４】従来の制御を示す説明図である。
【符号の説明】
１  高温再生器
１Ｂ  ガスバーナ
２  低温再生器
３  凝縮器
３Ａ  凝縮器熱交換器
４  蒸発器
４Ａ  蒸発器熱交換器
５  吸収器
５Ａ  吸収器熱交換器
６  低温熱交換器
７  高温熱交換器
８  温水器
８Ａ  温水器熱交換器
９〜１１  吸収液配管
１３  吸収液ポンプ
１４〜１９  冷媒配管
２０  冷媒ポンプ
２２  冷水配管
２３  冷却水配管
２４  温水配管
２５〜２８  開閉弁
２９・３０  流量制御弁
３１  制御装置
３２  入力インターフェイス
３３  ＣＰＵ
３４  ＲＯＭ
３５  出力インターフェイス
３６  ＣＬＯＣＫ
３７  ＲＡＭ
４０・４１  温度センサ
【図１】
0003819485.tif 000002
【図２】
0003819485.tif 000003
【図３】
0003819485.tif 000004
【図４】
0003819485.tif 000005